(57)【要約】      （修正有）【課題】マスクのフィルタ機能の低下を抑えつつ、マスクの使用期間を長くすることができるマスクカバーを提供する。【解決手段】マスク２の本体部の表面を覆う第１シート１１と本体部の裏面を覆う第２シートとを備え、第１シートと第２シートとの間に本体部を収容可能に構成された筒状のマスクカバー１であって、筒状のマスクカバーの両端開口部を通じてマスクを挿入可能であり、第１シート及び第２シートの少なくとも一方には、両端開口部の近傍にそれぞれ、マスクの耳掛け紐２２を通すためのスリット１１ｂが設けられている。【選択図】図１
0003227124.tif 000002
【実用新案登録請求の範囲】
【請求項１】
マスクの本体部の表面を覆う第１シートと前記本体部の裏面を覆う第２シートとを備え、前記第１シートと前記第２シートとの間に前記本体部を収容可能に構成された筒状のマスクカバーであって、
前記筒状のマスクカバーの両端開口部を通じて前記マスクを挿入可能であり、
前記第１シート及び前記第２シートの少なくとも一方には、前記両端開口部の近傍に、前記マスクの耳掛け紐を通すためのスリットが設けられている、マスクカバー。
【請求項２】
前記第１シート及び前記第２シートは、長手方向に延在する複数のプリーツを有し、前記本体部の伸縮に応じて伸縮可能に構成されている、請求項１に記載のマスクカバー。
【考案の詳細な説明】
【技術分野】
【０００１】
本考案は、マスクカバーに関する。
【背景技術】
【０００２】
一般的に、マスクには、医療用マスク・Ｎ９５マスク、不織布マスク、布マスクの３種類のマスクがある。医療用マスク・Ｎ９５マスク及び不織布マスクは、フィルタ性能が優れているものの、マスクに花粉やウイルスなどの微粒子が付着しやすいため、１回の使用で使い捨てられる使い捨てマスクとして製造されるのが一般的である。以下、これらのマスクを使い捨てマスクという。これに対して、布マスクは、織り目のサイズが大きいため、使い捨てマスクよりもフィルタ性能が劣るものの、洗浄により付着した粒子を除去することができるので、繰り返し使用可能であるという利点がある。
【０００３】
従来のマスクカバーとしては、特許文献１に記載のマスクカバーがある。このマスクカバーは、マスクの表面及び裏面を覆う第１及び第２シートを有し、マスク非使用時に、第２シートを長手方向に横断するスリットを通じてマスクを第１及び第２シートの間に収容することで、マスクケースとして使用可能に構成されている。
【先行技術文献】
【特許文献】
【０００４】
【特許文献１】特開２０１５−１１９８０６号公報
【考案の概要】
【考案が解決しようとする課題】
【０００５】
新型コロナウイルスの世界的な流行により、国内外で使い捨てマスクの不足が深刻化している。このため、布マスクの使用が広がっている。しかしながら、布マスクでは、新型コロナウイルスのような極めて粒径の小さい微粒子に対しては、所望のフィルタ機能を果たすことが困難である。
【０００６】
また、特許文献１のマスクカバーによれば、マスク使用時にマスクとマスクカバーとが重なることで、フィルタ機能を向上させることができる。しかしながら、このマスクカバーでは、マスク使用時に、マスクの裏面に口や鼻が直接接触するので、マスクの使用期間を延長することはできない。
【０００７】
本考案の目的は、前記課題を解決することにあって、マスクのフィルタ機能の低下を抑えつつ、マスクの使用期間を長くすることができるマスクカバーを提供することにある。
【課題を解決するための手段】
【０００８】
前記従来の課題を解決するため、本考案のマスクカバーは、
マスクの本体部の表面を覆う第１シートと前記本体部の裏面を覆う第２シートとを備え、前記第１シートと前記第２シートとの間に前記本体部を収容可能に構成された筒状のマスクカバーであって、
前記筒状のマスクカバーの両端開口部を通じて前記マスクを挿入可能であり、
前記第１シート及び前記第２シートの少なくとも一方には、前記両端開口部の近傍に、前記マスクの耳掛け紐を通すためのスリットが設けられている。
【考案の効果】
【０００９】
本考案に係るマスクカバーによれば、マスクのフィルタ機能の低下を抑えつつ、マスクの使用期間を長くすることができる。
【図面の簡単な説明】
【００１０】
【図１】本考案の実施形態に係るマスクカバーの使用状態を示す斜視図である。
【図２】図１のマスクカバーの表面図である。
【図３】図１のマスクカバーの裏面図である。
【図４】図１のマスクカバーの第２シートを取り外した状態を示す裏面図である。
【考案を実施するための形態】
【００１１】
本考案のマスクカバーは、マスクの本体部の表面を覆う第１シートと前記本体部の裏面を覆う第２シートとを備え、前記第１シートと前記第２シートとの間に前記本体部を収容可能に構成された筒状のマスクカバーであって、
前記筒状のマスクカバーの両端開口部を通じて前記マスクを挿入可能であり、
前記第１シート及び前記第２シートの少なくとも一方には、前記両端開口部の近傍に、前記マスクの耳掛け紐を通すためのスリットが設けられている。
【００１２】
この構成によれば、第１シートと第２シートとの間にマスクの本体部を収容することで、第１及び第２シートによって大径の粒子などを捕捉することが可能になる。これにより、マスクに達する粒子を少なくすることができ、マスクのフィルタ機能の低下を抑えることができる。また、第１及び第２シートによってマスクの表面及び裏面が覆われているので、マスクに口や鼻が直接接触することを抑えることができる。更に、第１及び第２シートを布マスクと同様の材質で構成することで、洗浄により第１及び第２シートに付着した粒子を除去することができるので、マスクカバーを繰り返し使用することができる。その結果、マスクの衛生状態を確保することができるので、マスクの使用期間を長くすることができる。このことは、マスクとして使い捨てマスクを使用する場合に特に有利である。すなわち、使い捨てマスクの購入量を減らすとともに、使用後はごみとなる使い捨てマスクの量を減らすことができる。
【００１３】
また、前記構成によれば、筒状のマスクカバーの両端開口部の近傍に、マスクの耳掛け紐を通すためのスリットが設けられているので、スリットを通じて耳掛け紐を使用者の耳にかけることで、マスクとマスクカバーとの位置ずれを抑えることができる。
【００１４】
また、前記第１シート及び前記第２シートは、長手方向に延在する複数のプリーツを有し、前記本体部の伸縮に応じて伸縮可能に構成されてもよい。この構成によれば、マスクの本体部とともに第１及び第２シートを伸長させて、所望のサイズの領域を覆うとともにより顔にフィットさせることができ、使用時の違和感を無くすことができる。
【００１５】
以下、本考案の実施形態について、図面を参照しながら説明する。なお、この実施形態によって本考案が限定されるものではない。また、図面において実質的に同一の部材については同一の符号を付している。
【００１６】
また、以下では、説明の便宜上、通常使用時の状態を想定して「上」、「下」、「左」、「右」、「表面」、「裏面」等の方向を示す用語を用いているが、本考案のマスクカバーの使用状態等を限定することを意味するものではない。
【００１７】
《実施形態》
図１は、本考案の実施形態に係るマスクカバーの使用状態を示す斜視図である。図２は、図１のマスクカバーの表面図である。図３は、図１のマスクカバーの裏面図である。図４は、図１のマスクカバーの第２シートを取り外した状態を示す裏面図である。
【００１８】
図１に示すように、本実施形態に係るマスクカバー１は、マスク２に取り付けられて使用されるものである。本実施形態において、マスク２は、通常、１回の使用で使い捨てられるフィルタ性能が優れた使い捨てマスクである。例えば、マスク２は、医療用マスク・Ｎ９５マスク、不織布マスクである。マスク２は、一般に市販されている使い捨てマスクであってもよい。
【００１９】
マスク２は、図４に示すように、本体部２１と、一対の耳掛け紐２２，２２とを備えている。本実施形態において、本体部２１は、矩形に形成されている。一対の耳掛け紐２２は、それぞれ本体部２１の短辺部に取り付けられている。より具体的には、各耳掛け紐２２の一端部は、本体部２１の短辺部の上端部に取り付けられている。各耳掛け紐２２の他端部は、本体部２１の短辺部の下端部に取り付けられている。また、マスク２には、短手方向（上下方向）に伸縮できるように、長手方向（左右方向）に延在する複数のプリーツ２３が形成されている。すなわち、マスク２を短手方向に引っ張ることで、複数のプリーツ２３が展開されて、マスク２が上下方向に伸長するように構成されている。
【００２０】
本考案の実施形態に係るマスクカバー１は、マスク２の本体部２１の表面を覆う第１シート１１と、マスク２の本体部２１の裏面を覆う第２シート１２とを備えている。ここで、「表面」とは、マスク２の使用時に外側に配置される面をいう。「裏面」とは、マスク２の使用時に顔側に配置されている面をいう。
【００２１】
第１シート１１及び第２シート１２は、洗濯や煮沸殺菌することで繰り返し使用可能な材質で構成されている。本実施形態において、第１シート１１及び第２シート１２は、布マスクと同様の材質で構成されている。例えば、第１シート１１及び第２シート１２は、ガーゼなどの織布で構成されている。
【００２２】
第１シート１１及び第２シート１２は、マスク２の本体部２１よりも大きいサイズを有している。本実施形態において、第１シート１１と第２シート１２とは、同じ形状及びサイズを有している。具体的には、第１シート１１及び第２シート１２は、矩形に形成されている。また、第１シート１１及び第２シート１２は、マスク２の本体部２１の全体を包含するように、マスク２の本体部２１よりもやや大きい外形を有している。
【００２３】
第１シート１１と第２シート１２とは、互いの上側の長辺部同士及び互いの下側の長辺部同士が接合されている。これにより、マスクカバー１は、第１シート１１と第２シート１２との間にマスク２の本体部２１を収容可能に筒状に構成されている。一方、第１シート１１と第２シート１２とは、互いの左側の短辺部同士及び互いの右側の短辺部同士が接合されていない。このため、これらの非接合部分は、第１シート１１及び第２シート１２を変形させることで開口を広げることができる。ここでは、これらの非接合部分を、筒状のマスクカバー１の両端開口部という。マスク２は、筒状のマスクカバー１の両端開口部を通じて第１シート１１と第２シート１２との間に挿入可能である。また、マスク２は、筒状のマスクカバー１の両端開口部を通じて第１シート１１と第２シート１２との間から取り出し可能である。本実施形態において、両端開口部の上下方向の長さは、マスク２の短辺方向の長さよりも大きい。これにより、マスク２を変形させることなく第１シート１１と第２シート１２との間に挿入することができる。
【００２４】
また、第１シート１１は、左右に突出する一対のフラップ部１１ａ，１１ａを備えている。各フラップ部１１ａは、図４に示すように、マスク２が内側に配置されたときに、マスク２と重ならない位置に設けられている。すなわち、一対のフラップ部１１ａ，１１ａの間隔は、マスク２の長手方向の長さよりも長い。
【００２５】
各フラップ部１１ａには、マスク２の耳掛け紐２２を通すためのスリット１１ｂが設けられている。スリット１１ｂは、筒状のマスクカバー１の開口部の近傍に位置し、上下方向に延在するように設けられている。本実施形態において、スリット１１ｂの上下方向の長さは、マスク２の本体部２１に取り付けられる耳掛け紐２２の一端部と他端部との間隔と略同じ長さである。なお、スリット１１ｂの左右方向の長さ（幅）は、マスク２の耳掛け紐２２の直径よりも短くてもよい。この場合、スリット１１ｂの周囲部分で耳掛け紐２２を挟持することができ、耳掛け紐２２がスリット１１ｂ内で移動することを抑えることができる。これにより、マスクカバー１に対してマスク２が位置ずれすることを抑えることができる。
【００２６】
また、本実施形態において、第２シート１２は、左右に突出する一対のフラップ部１２ａ，１２ａを備えている。各フラップ部１２ａは、第１シート１１のフラップ部１１ａに対応する形状及びサイズを有している。
【００２７】
また、本実施形態において、第１シート１１及び第２シート１２は、長手方向に延在する複数のプリーツ１３，１４を有し、マスク２の本体部２１の伸縮に応じて伸縮可能に構成されている。より具体的には、第１シート１１及び第２シート１２を上下方向に引っ張ることで、複数のプリーツ１３，１４が展開されて、第１シート１１及び第２シート１２が上下方向に伸長するように構成されている。
【００２８】
以上、本実施形態に係るマスクカバー１によれば、第１シート１１と第２シート１２との間にマスク２の本体部２１を収容することで、第１シート１１及び第２シート１２によって大径の粒子などを捕捉することが可能になる。これにより、マスク２に達する粒子を少なくすることができ、マスク２のフィルタ機能の低下を抑えることができる。また、第１シート１１及び第２シート１２によってマスク２の表面及び裏面が覆われているので、マスク２に口や鼻が直接接触することを抑えることができる。更に、第１シート１１及び第２シート１２を布マスクと同様の材質で構成することで、洗浄により第１シート１１及び第２シート１２に付着した粒子を除去することができるので、マスクカバー１を繰り返し使用することができる。その結果、マスク２の衛生状態を確保することができるので、マスク２の使用期間を長くすることができる。
【００２９】
また、本実施形態に係るマスクカバー１によれば、筒状のマスクカバー１の両端開口部の近傍に、マスク２の耳掛け紐２２を通すためのスリット１１ｂが設けられている。これにより、スリット１１ｂを通じて耳掛け紐２２を使用者の耳にかけることで、マスク２とマスクカバー１との位置ずれを抑えることができる。このとき、位置ずれを防止する部材を別途設ける必要がない。
【００３０】
また、本実施形態に係るマスクカバー１によれば、第１シート１１及び第２シート１２は、長手方向に延在する複数のプリーツ１３，１４を有し、マスク２の本体部２１の伸縮に応じて伸縮可能に構成されている。これにより、マスク２の本体部２１とともに第１シート１１及び第２シート１２を伸長させて、所望のサイズの領域を覆うとともにより顔にフィットさせることができ、使用時の違和感を無くすことができる。
【００３１】
なお、本考案は前記実施形態に限定されるものではなく、その他種々の態様で実施できる。例えば、前記では、構成したが、本考案はこれに限定されない。例えば、前記では、第１シート１１と第２シート１２とが別々の部材であるものしたが、本考案はこれに限定されない。例えば、第１シート１１と第２シート１２とは、１つのシートで構成されてもよい。また、第１シート１１と第２シート１２とは、同じ材質で構成されることに限定されるものではなく、それぞれが配置される場所に適した別々の材質で構成されてもよい。
【００３２】
また、前記では、第１シート１１と第２シート１２とは、同じ形状及びサイズを有するものとしたが、本考案はこれに限定されない。第１シート１１と第２シート１２とは、異なる形状及び異なるサイズであってもよい。例えば、第２シート１２は、フラップ部１２ａを備えなくてもよい。また、第２シート１２には、第１シート１１のスリット１１ｂと同様のスリットが設けられてもよいし、設けられなくてもよい。
【００３３】
また、第１シート１１の外表面には、文字や図形などのデザインが適宜施されてもよい。
【００３４】
本考案は、添付図面を参照しながら好ましい実施形態に関連して充分に記載されているが、この技術に熟練した人々にとっては種々の変形や修正は明白である。そのような変形や修正は、添付した請求の範囲による本考案の範囲から外れない限りにおいて、その中に含まれると理解されるべきである。
【符号の説明】
【００３５】
１    マスクカバー
２    マスク
１１    第１シート
１１ａ  フラップ部
１１ｂ  スリット
１２    第２シート
１３，１４  プリーツ
２１    本体部
２２    耳掛け紐
２３    プリーツ
【図１】
0003227124.tif 000003
【図２】
0003227124.tif 000004
【図３】
0003227124.tif 000005
【図４】
0003227124.tif 000006